(57)【要約】【課題】複数の放送帯域に対応した、回路規模の小さな放送受信機を提供する。【解決手段】複数のアンテナ（アンテナ群５０）に択一的に接続される１つの入力端子８と、入力端子８に接続されたフィルタ回路３と、フィルタ回路３に接続された第１マッチング回路１と、を備えた放送受信機１００であって、フィルタ回路３と第１マッチング回路１とによって１つの第１信号経路１１を形成し、第１信号経路１１から分岐した複数の第２信号経路１２を設け、第２信号経路１２上にそれぞれ設けられた第２マッチング回路２と、第２マッチング回路２それぞれに接続されたチューナ回路４と、を有し、複数の第２マッチング回路２それぞれとチューナ回路４それぞれとの間にスイッチ回路５を設けた。【選択図】図２
2015032896.tif 000002
【特許請求の範囲】
【請求項１】
複数のアンテナに択一的に接続される１つの入力端子と、前記入力端子に接続されたフィルタ回路と、前記フィルタ回路に接続された第１マッチング回路と、を備えた放送受信機であって、
前記フィルタ回路と前記第１マッチング回路とによって１つの第１信号経路を形成し、前記第１信号経路から分岐した複数の第２信号経路を設け、前記第２信号経路上にそれぞれ設けられた第２マッチング回路と、前記第２マッチング回路それぞれに接続されたチューナ回路と、を有し、
前記複数の第２マッチング回路それぞれと前記チューナ回路それぞれとの間にスイッチ回路を設けたことを特徴とする放送受信機。
【請求項２】
前記第１マッチング回路は、一端が前記フィルタ回路に接続された１つのインダクタと、前記インダクタの他端とグランドとの間に設けられた１つの第１キャパシタと、を有し、
前記第２マッチング回路は、前記第１マッチング回路の出力端に一端が接続された１つの第２キャパシタをそれぞれ有していることを特徴とする請求項１に記載の放送受信機。
【請求項３】
複数の前記アンテナに接続される受信機内アンテナ切換器を更に設け、前記フィルタ回路と複数の前記アンテナとを一対多で択一的に接続可能としたことを特徴とする請求項１又は請求項２に記載の放送受信機。
【請求項４】
前記チューナ回路が構成された集積回路を有し、前記集積回路の内部に前記スイッチ回路を構成したことを特徴とする請求項１乃至請求項３のいずれかに記載の放送受信機。
【発明の詳細な説明】
【技術分野】
【０００１】
本発明は、放送受信機、特にデジタルテレビジョン放送及びデジタルラジオ放送を受信可能な小型の放送受信機に関わる。
【背景技術】
【０００２】
現在、ＩＳＤＢ−Ｔ規格、ＩＳＤＢ−Ｔｍｍ規格、及びＩＳＤＢ−Ｔｓｂ規格、それぞれの規格に適合した放送が行われている。現在、このような複数の規格に対応するため、複数の帯域の放送を受信可能な放送受信機が開発されている。特に、携帯機器に内蔵される放送受信機として、このような規格に対応した放送受信機が採用される傾向にある。
【０００３】
このような複数の帯域の放送を受信可能な放送受信機として、特許文献１に記載された発明が開示されている。特許文献１に記載された第１従来例としての、テレビジョン信号入力回路９００を図４に示す。
【０００４】
このテレビジョン信号入力回路９００は、入力端子９０１に入力する連続する広帯域のテレビジョン信号を分岐して第１入力マッチング回路９０２〜第４入力マッチング回路９０５に入力する入力回路である。この入力回路において、直列接続した第１コンデンサＣ９０１〜第３コンデンサＣ９０３の各段に第１入力マッチング回路９０２〜第４入力マッチング回路９０５を接続する。そして、第２入力マッチング回路９０３のインダクタＬ９０３，インダクタＬ９０４を第３入力マッチング回路９０４で兼用する。また、第４入力マッチング回路９０５の入力端は第１コンデンサＣ９０１、及び第２コンデンサＣ９０２の直列接続容量を介して第１入力マッチング回路９０２及び第２入力マッチング回路９０３に接続する。
【０００５】
この構成によれば、第１入力マッチング回路９０２により第１の帯域を伝送する場合、第１の帯域よりも周波数の低い第２の帯域から第４の帯域の第２入力マッチング回路９０３〜第４入力マッチング回路９０５には、インダクタンス値が大きいために影響を無視できる。また、第２入力マッチング回路９０３により第２の帯域を伝送する場合、第１入力マッチング回路９０２は第３コンデンサＣ９０３の容量値により大きなインピーダンスとなり影響を受けない状態となる。そして、第３入力マッチング回路９０４により第３の帯域を伝送する場合、第１入力マッチング回路９０２は第３コンデンサＣ９０３の容量値により大きなインピーダンスとなり影響を受けない状態となる。更に、第４入力マッチング回路９０５により第４の帯域を伝送する場合、第１コンデンサＣ９０１及び第２コンデンサＣ９０２の直列接続容量により第１入力マッチング回路９０２及び第２入力マッチング回路９０３側が大きなインピーダンスとなり影響を受けない状態となる。よって、静電容量値及びインダクタ値の困難な設定を伴わずに、互いの帯域の特性に影響を及ぼすことのない４つの帯域設定が可能となるとしている。
【０００６】
ところで、複数の帯域の放送を受信可能な放送受信機として、各帯域毎に入力端子を設け、各入力端子にそれぞれ接続された受信系路を設ける方式の放送受信機も考案されている。各帯域毎に受信系路を設ける方式の放送受信機８００を、第２従来例として図５に示す。
【０００７】
放送受信機８００は、入力端子８０８ａ、入力端子８０８ｂ、入力端子及び８０８ｃからなる入力端子群８０８を設けている。入力端子８０８ａ、入力端子８０８ｂ、及び入力端子８０８ｃには、アンテナ切換器８６０を介して、それぞれアンテナ８５０ａ、アンテナ８５０ｂ、及びアンテナ８５０ｃが接続される。また、入力端子８０８ａには、通過帯域周波数が最も高いフィルタ８０３ａが接続され、入力端子８０８ｂには、通過帯域周波数が中間の高さのフィルタ８０３ｂが接続され、入力端子８０８ｃには、通過帯域周波数が最も低いフィルタ８０３ｃが接続されて、フィルタ回路群８０３が構成されている。フィルタ８０３ａ、フィルタ８０３ｂ、及びフィルタ８０３ｃにはインダクタとキャパシタからなるマッチング回路８０１ａ、マッチング回路８０１ｂ、及びマッチング回路８０１ｃがそれぞれ接続されて、マッチング回路群８０１が構成されている。そして、マッチング回路８０１ａ、マッチング回路８０１ｂ、及びマッチング回路８０１ｃには、それぞれチューナ回路８０４ａ、チューナ回路８０４ｂ、及びチューナ回路８０４ｃが接続されて、チューナ回路群８０４が構成されている。このように、第２従来例の放送受信機８００のような各帯域毎に受信系路を設ける方式の場合、回路設計が容易であり、各帯域毎の受信系路における性能も良好である。
【先行技術文献】
【特許文献】
【０００８】
【特許文献１】特開２００８−２７０９７３号公報
【発明の概要】
【発明が解決しようとする課題】
【０００９】
しかしながら、第１従来例のテレビジョン信号入力回路９００は、ホーム用のテレビジョンに使用されるテレビジョンチューナを想定したものであり、携帯機器に使用される放送受信機用としては、その回路規模は大き過ぎるものであった。また、第２従来例の放送受信機８００も、各帯域毎の受信信号のために、入力から出力まで信号経路を設けなくてはならないため、その回路規模が非常に大きくなってしまっていた。いずれにしても、携帯電話等の携帯機器に内蔵されるような小型の放送受信機にとっては、その回路規模をいかに小さくするかが課題であった。
【００１０】
本発明は、このような従来技術の実情に鑑みてなされたもので、その目的は、複数の放送帯域に対応した、回路規模の小さな放送受信機を提供することにある。
【課題を解決するための手段】
【００１１】
この課題を解決するために、本発明の放送受信機は、複数のアンテナに択一的に接続される１つの入力端子と、前記入力端子に接続されたフィルタ回路と、前記フィルタ回路に接続された第１マッチング回路と、を備えた放送受信機であって、前記フィルタ回路と前記第１マッチング回路とによって１つの第１信号経路を形成し、前記第１信号経路から分岐した複数の第２信号経路を設け、前記第２信号経路上にそれぞれ設けられた第２マッチング回路と、前記第２マッチング回路それぞれに接続されたチューナ回路と、を有し、前記複数の第２マッチング回路それぞれと前記チューナ回路それぞれとの間にスイッチ回路を設けたという特徴を有する。
【００１２】
このように構成された放送受信機は、複数の第２マッチング回路それぞれとチューナ回路との間にスイッチ回路を設けたので、受信していない帯域用のチューナ回路を、受信している帯域用の信号経路から切り離すことができる。そのため、受信に使用している回路への、受信に使用していない回路による影響を防止できる。それと同時に、入力端子とフィルタ回路と第１マッチング回路とを、１つの第１信号経路上に構成することができるので、回路規模を小さくすることができる。
【００１３】
また、上記の構成における本発明の放送受信機において、前記第１マッチング回路は、一端が前記フィルタ回路に接続された１つのインダクタと、前記インダクタの他端とグランドとの間に設けられた１つの第１キャパシタと、を有し、前記第２マッチング回路は、前記第１マッチング回路の出力端に一端が接続された１つの第２キャパシタをそれぞれ有しているという特徴を有する。
【００１４】
このように構成された放送受信機は、１つのインダクタと１つの第１キャパシタとで第１マッチング回路を構成し、それぞれの第２マッチング回路を１つの第２キャパシタによって構成したので、第１マッチング回路と第２マッチング回路とを合わせたマッチング回路の回路規模を小さくすることが可能となる。
【００１５】
また、上記の構成における本発明の放送受信機は、複数の前記アンテナに接続される受信機内アンテナ切換器を更に設け、前記フィルタ回路と複数の前記アンテナとを一対多で択一的に接続可能としたという特徴を有する。
【００１６】
このように構成された放送受信機は、フィルタ回路と複数のアンテナとを一対多で択一的に接続可能とする受信機内アンテナ切換器を更に設けたので、アンテナ切換器を含む放送受信機全体の回路規模を更に小さくすることができる。
【００１７】
また、上記の構成における本発明の放送受信機は、前記チューナ回路が構成された集積回路を有し、前記集積回路の内部に前記スイッチ回路を構成したという特徴を有する。
【００１８】
このように構成された放送受信機は、スイッチ回路を、チューナ回路が構成された集積回路内に取り込んで構成したので、放送受信機全体の回路規模を小さくすることができる。
【発明の効果】
【００１９】
本発明の放送受信機は、複数の第２マッチング回路それぞれとチューナ回路との間にスイッチ回路を設けたので、受信していない帯域用のチューナ回路を、受信している帯域用の信号経路から切り離すことができる。そのため、受信に使用している回路への、受信に使用していない回路による影響を防止できる。それと同時に、入力端子とフィルタ回路と第１マッチング回路とを、１つの第１信号経路上に構成することができるので、回路規模を小さくすることができる。
【図面の簡単な説明】
【００２０】
【図１】本発明の第１実施形態に係る放送受信機の受信帯域周波数を示す図である。
【図２】第１実施形態に係る放送受信機の構成を示す回路図である。
【図３】第２実施形態に係る放送受信機の構成を示す回路図である。
【図４】第１従来例に係る放送受信機の構成を示す回路図である。
【図５】第２従来例に係る放送受信機の構成を示す回路図である。
【発明を実施するための形態】
【００２１】
[第１実施形態]
以下、本発明の第１実施形態について、図面を参照しながら説明する。
【００２２】
現在、ＩＳＤＢ−Ｔ規格、ＩＳＤＢ−Ｔｍｍ規格、及びＩＳＤＢ−Ｔｓｂ規格、それぞれの規格に適合した放送が行われている。ＩＳＤＢ−Ｔ規格は、日本や南米などで採用されているワンセグ放送及びフルセグ放送等のデジタルテレビジョン放送規格である。また、ＩＳＤＢ−Ｔｍｍ規格は、デジタルワンセグテレビジョン放送と同様のリアルタイム映像を視聴できるほか、蓄積型コンテンツ視聴が利用できる放送規格である。更に、ＩＳＤＢ−Ｔｓｂ規格は、上記ＩＳＤＢ−Ｔ規格をベースとしたデジタルラジオ放送規格である。図１に示すように、ＩＳＤＢ−Ｔ規格の放送周波数帯（第１バンド）は４７４．１４３ＭＨｚ〜７０７．１４３ＭＨｚであり、ＩＳＤＢ−Ｔｍｍ規格の放送周波数帯（第２バンド）は２０７．５ＭＨｚ〜２２２ＭＨｚである。また、ＩＳＤＢ−Ｔｓｂ規格の放送周波数帯（第３バンド）は９１ＭＨｚ〜１０７．７ＭＨｚである。本発明の第１実施形態に係る放送受信機１００は、このような、第１バンド、第２バンド、及び第３バンドの複数帯域の放送を受信可能な放送受信機として構成されている。また、放送受信機１００は、主に携帯機器に内蔵されることを想定している。
【００２３】
次に、放送受信機１００の構成について、図２を用いて説明する。
【００２４】
図２は、本発明の第１実施形態に係る放送受信機１００の構成を示す回路図である。放送受信機１００は、入力端子８と、フィルタ回路３と、第１マッチング回路１と、第２マッチング回路２と、スイッチ回路５と、チューナ回路４とで構成されている。
【００２５】
入力端子８には、アンテナ切換器３０が接続されると共に、アンテナ切換器３０にはアンテナ群５０が接続されている。アンテナ群５０は、複数のアンテナ、即ち、第１アンテナ５０ａと第２アンテナ５０ｂと第３アンテナ５０ｃとで構成されている。第１アンテナ５０ａは、第１バンド受信用のアンテナであり、４７４．１４３ＭＨｚ〜７０７．１４３ＭＨｚのＵＨＦ帯の信号を受信可能に構成されている。また、第２アンテナ５０ｂは、第２バンド受信用のアンテナであり、２０７．５ＭＨｚ〜２２２ＭＨｚのＶＨＦ−Ｈｉ帯の信号を受信可能に構成されている。そして、第３アンテナ５０ｃは、第２バンド受信用のアンテナであり、９１ＭＨｚ〜１０７．７ＭＨｚのＶＨＦ−Ｌｏｗ帯の信号を受信可能に構成されている。第１アンテナ５０ａ又は第２アンテナ５０ｂ又は第３アンテナ５０ｃは、携帯機器内において、それぞれチップアンテナやホイップアンテナやロットアンテナ等で構成されていても良いし、また、携帯機器に接続される外付けアンテナであっても良い。
【００２６】
アンテナ切換器３０は、一回路三接点のスイッチ素子で構成されており、フィルタ回路３と第１アンテナ５０ａ又は第２アンテナ５０ｂ又は第３アンテナ５０ｃとを一対多で択一的に接続可能としている。尚、アンテナ切換器３０及びアンテナ群５０は、本発明の第１実施形態の放送受信機１００には含まれない。
【００２７】
入力端子８は放送受信機１００に１つ設けられており、上記の複数のアンテナ、即ちアンテナ群５０の第１アンテナ５０ａ又は第２アンテナ５０ｂ又は第３アンテナ５０ｃに択一的に接続される。入力端子８にはフィルタ回路３が接続されている。放送受信機１００では、フィルタ回路３として、ローパスフィルタ回路３ａが採用されている。ローパスフィルタ回路３ａは、少なくとも、第１バンドの周波数帯域から第３バンドの周波数帯域までの９１ＭＨｚ〜７０７．１４３ＭＨｚを通過させるように構成されている。ローパスフィルタ回路３ａとしては一般的な回路を採用しており、その構成は公知であるため、説明を省略する。尚、フィルタ回路３としては、ローパスフィルタ回路ではなく、９１ＭＨｚ〜７０７．１４３ＭＨｚを通過させるバンドパスフィルタであっても良い。また、フィルタ回路３として通過周波数帯域を可変できる可変フィルタを採用しても良い。
【００２８】
放送受信機１００は、前述したように主に携帯機器に内蔵されることを想定している。もしも、この携帯機器が携帯電話であった場合。携帯機器内で携帯電話用の通信信号が取り扱われることになる。携帯電話用の通信信号は、その電界強度が非常に強く、また、その周波数の内の最も低い周波数は約８００ＭＨｚである。従って、第１バンドの周波数帯域の最大周波数である７０７．１４３ＭＨｚに非常に近い。よって、フィルタ回路３では、この約８００ＭＨｚの通信信号のレベルを強力に減衰させる必要がある。そのために、フィルタ回路３として、ローパスフィルタ回路３ａにノッチフィルタ回路３ｂが併設される。ノッチフィルタ回路３ｂは、Ｑ値が高く、阻止帯域が狭い帯域除去フィルタである。従って、ノッチフィルタ回路３ｂは、妨害信号（電話の通信信号）を、隣接する帯域の信号（第１バンドの周波数帯域の信号）に影響を与えずに減衰させることができる。ノッチフィルタ回路３ｂについても公知であるため、その構成についての説明を省略する。
【００２９】
フィルタ回路３の出力端には、後段に接続される回路とフィルタ回路３との整合を行うための、第１信号経路１１上に設けられた第１マッチング回路１が接続されている。第１マッチング回路１は、一端がフィルタ回路３に接続された１つのインダクタ１ｂと、インダクタ１ｂの他端とグランドＧＮＤとの間に設けられた１つの第１キャパシタ１ａと、を有している。第１キャパシタ１ａとインダクタ１ｂとは、第１マッチング回路１の前後に接続されている回路のインピーダンスに対応して、その定数が設定される。尚、フィルタ回路３と第１マッチング回路１とによって１つの第１信号経路１１を形成している。
【００３０】
第１マッチング回路１は、後段に接続される回路とフィルタ回路３との整合のために、１つのインダクタ１ｂと１つの第１キャパシタ１ａとだけのＬ型の回路が採用され、最小限の素子数で構成されている。尚、第１マッチング回路１は、フィルタ回路３と同様に、ローパスフィルタ回路の形式で構成されている。また、第１マッチング回路１では、第１キャパシタ１ａをインダクタ１ｂの他端とグランドＧＮＤとの間に設けたが、整合の状態によっては、インダクタ１ｂの一端とグランドＧＮＤとの間に設けても良い。また、回路規模に余裕があれば、第１マッチング回路１として、第１キャパシタ１ａをインダクタ１ｂの他端とグランドＧＮＤとの間、及びインダクタ１ｂの一端とグランドＧＮＤとの間に設けるπ型の回路を採用しても良い。
【００３１】
第１信号経路１１からは複数の第２信号経路１２が分岐している。そして、この複数の第２信号経路１２のそれぞれに第２マッチング回路２が接続されている。第２マッチング回路２は、第１マッチング回路１の出力端に一端が接続された１つの第２キャパシタ２ａ、第２キャパシタ２ｂ、及び第２キャパシタ２ｃをそれぞれ有している。第２キャパシタ２ａは、周波数が最も高い第１バンドの信号経路に挿入されたキャパシタであり、第２キャパシタ２ｂは、周波数が中間の第２バンドの信号経路に挿入されたキャパシタであり、第２キャパシタ２ｃは、周波数が最も低い第３バンドの信号経路に挿入されたキャパシタである。第２キャパシタ２ａ、第２キャパシタ２ｂ、及び第２キャパシタ２ｃは、その前後に接続されている回路のインピーダンスに対応してその定数が設定される。
【００３２】
このように、第１マッチング回路１は、１つの第１キャパシタ１ａと１つのインダクタ１ｂとの２つの素子だけで構成され、３つの第２マッチング回路２は、第２キャパシタ２ａから第２キャパシタ２ｃまでの、合わせて３つの素子だけによって構成されている。そのため、第１マッチング回路１と第２マッチング回路２とを合わせたマッチング回路全体の回路規模を小さくすることが可能となる。
【００３３】
それぞれの第２マッチング回路２の出力端から、各信号経路のそれぞれにスイッチ回路５が接続されていて、スイッチ回路５の出力端からの信号経路のそれぞれにチューナ回路４が接続されている。各スイッチ回路５は、第２キャパシタ２ａの出力端に一端が接続された第１スイッチ回路５ａ、第２キャパシタ２ｂの出力端に一端が接続された第２スイッチ回路５ｂ、第２キャパシタ２ｃの出力端に一端が接続された第３スイッチ回路５ｃをそれぞれ有している。第１スイッチ回路５ａ、第２スイッチ回路５ｂ、及び第３スイッチ回路５ｃは、それぞれ一回路一接点のスイッチ素子で構成されている。また、各チューナ回路４は、第１スイッチ回路５ａの出力端に一端が接続された第１チューナ回路４ａ、第２スイッチ回路５ｂの出力端に一端が接続された第２チューナ回路４ｂ、第３スイッチ回路５ｃの出力端に一端が接続された第３チューナ回路４ｃをそれぞれ有している。ここで、第２キャパシタ２ａから第１チューナ回路４ａまでの信号経路をＡ信号経路、第２キャパシタ２ｂから第２チューナ回路４ｂまでの信号経路をＢ信号経路、第２キャパシタ２ｃから第３チューナ回路４ｃまでの信号経路をＣ信号経路とする。
【００３４】
チューナ回路４としては、その受信する信号の種類によって、第１チューナ回路４ａ、又は第２チューナ回路４ｂ、又は第３チューナ回路４ｃが選択される。第１チューナ回路４ａ、又は第２チューナ回路４ｂ、又は第３チューナ回路４ｃは、ＩＳＤＢ−Ｔ規格、又はＩＳＤＢ−Ｔｍｍ規格、又はＩＳＤＢ−Ｔｓｂ規格、それぞれの規格に適合した放送信号を受信し、種々のデジタル信号処理を行う。その後に、その信号を後段に接続されるディスプレー機器等の視聴機器に出力する。チューナ回路４に対する選択は、スイッチ回路５によって行われる。
【００３５】
一般的に近年のチューナ回路におけるほとんどの処理が１チップの集積回路で行われるようになっており、本第１実施形態の放送受信機１００においても、図２に示すように、チューナ回路４が内部に構成された集積回路２０を使用している。そして、本第１実施形態の放送受信機１００では、スイッチ回路５もチューナ回路４が構成された集積回路２０の内部に構成した。このように、スイッチ回路５を、チューナ回路４が構成された集積回路２０内に取り込んで構成したので、放送受信機全体の回路規模を小さくすることに貢献できる。
【００３６】
次に、放送受信機１００の働きについて、図２を用いて説明する。
【００３７】
前述したように、放送受信機１００は、ＩＳＤＢ−Ｔ規格、又はＩＳＤＢ−Ｔｍｍ規格、又はＩＳＤＢ−Ｔｓｂ規格、それぞれの規格に適合した放送信号を受信してその放送内容を視聴するための受信機である。例えば、放送受信機１００が、携帯電話の筐体内に内蔵されていて、放送受信機１００によってＩＳＤＢ−Ｔ規格のデジタルテレビジョン放送を視聴しようとした場合を想定する。
【００３８】
希望信号（今後Ｄ信号とする）であるＩＳＤＢ−Ｔ規格のデジタルテレビジョン放送の信号は、前述したように、４７４．１４３ＭＨｚ〜７０７．１４３ＭＨｚのＵＨＦ帯の信号であるため、アンテナ群５０から第１アンテナ５０ａが使用される。従って、アンテナ切換器３０において第１アンテナ５０ａが選択される。第１アンテナ５０ａによって受信されたＤ信号は、入力端子８を通って、第１信号経路１１上にあるフィルタ回路３に入力される。フィルタ回路３では、Ｄ信号がローパスフィルタ回路３ａを通ると共に、同時に受信されている可能性のある携帯電話の通信信号がノッチフィルタ回路３ｂによって除去される。この時、スイッチ回路５の内、Ａ信号経路にある第１スイッチ回路５ａがオンとなるように制御されている。
【００３９】
フィルタ回路３を通過したＤ信号は、第１マッチング回路１のインダクタ１ｂ及び第１キャパシタ１ａを介して、第２信号経路１２の内の、Ａ信号経路上の第２マッチング回路２に入力される。Ｄ信号は、第１マッチング回路１がフィルタ回路３及び第２マッチング回路２と整合が取れているため、ほとんどロスすることはない。
【００４０】
第１マッチング回路１から伝送されたＤ信号は、Ａ信号経路にある第２マッチング回路２の第２キャパシタ２ａを通り、集積回路２０内の第１スイッチ回路５ａを介して第１チューナ回路４ａに入力される。第１チューナ回路４ａに入力されたＤ信号は、種々のデジタル信号処理が行われた後に、後段に接続されたディスプレー機器等の視聴機器（図示せず）に出力される。
【００４１】
スイッチ回路５の内、Ａ信号経路にある第１スイッチ回路５ａがオンとなるように制御される時には、Ｂ信号経路にある第２スイッチ回路５ｂ、及びＣ信号経路にある第３スイッチ回路５ｃは共にオフとなるように制御される。また、Ｂ信号経路にある第２スイッチ回路５ｂがオンの時には、Ａ信号経路にある第１スイッチ回路５ａ、及びＣ信号経路にある第３スイッチ回路５ｃは共にオフとなる。更に、Ｃ信号経路にある第３スイッチ回路５ｃがオンの時には、Ａ信号経路にある第１スイッチ回路５ａ、及びＢ信号経路にある第２スイッチ回路５ｂが共にオフとなる。
【００４２】
放送受信機１００がＩＳＤＢ−Ｔ規格のデジタルテレビジョン放送を視聴しようとした場合を想定して説明したが、放送受信機１００がＩＳＤＢ−Ｔｍｍ規格の放送、又はＩＳＤＢ−Ｔｓｂ規格放送信号を受信しようとした場合についても、その働きは同様である。
【００４３】
上述したように、放送受信機１００では、受信する希望信号（Ｄ信号）がＩＳＤＢ−Ｔ規格、又はＩＳＤＢ−Ｔｍｍ規格、又はＩＳＤＢ−Ｔｓｂ規格、のどの規格に適合した放送信号であるかによって、スイッチ回路５を制御する。具体的には、スイッチ回路５の中の第１スイッチ回路５ａ又は第２スイッチ回路５ｂ又は第３スイッチ回路５ｃの内の、１つのスイッチ回路をオンとし、他の２つのスイッチ回路をオフとする。従って、受信していない帯域用のチューナ回路を、受信している帯域用の信号経路から切り離すことができる。そのため、受信に使用している回路への、受信に使用していない回路による影響を防止することができる。それと同時に、入力端子とフィルタ回路と第１マッチング回路とを、１つの第１信号経路１１上に構成することができるので、回路規模を小さくすることができる。
【００４４】
[第２実施形態]
次に、本発明の第２実施形態である放送受信機２００の構成について、図３を用いて説明する。
【００４５】
図３は、本発明の第２実施形態に係る放送受信機２００の構成を示す回路図である。放送受信機２００は、受信機内アンテナ切換器４０と、入力端子８と、フィルタ回路３と、第１マッチング回路１と、第２マッチング回路２と、スイッチ回路５と、チューナ回路４とで構成されている。
【００４６】
本発明の第１実施形態である放送受信機１００と、本発明の第２実施形態に係る放送受信機２００との相違点は、放送受信機１００では受信機の外部にアンテナ切換器３０が設けられていたのに対して、放送受信機２００では受信機の内部に受信機内アンテナ切換器４０が設けられていることである。それ以外の構成に関しては、放送受信機１００と放送受信機２００とでは、同一の構成となっている。そのため、図３における各構成要素に対する符号は、受信機内アンテナ切換器４０以外、図２における各構成要素に対する符号と同一の符号を使用している。
【００４７】
受信機内アンテナ切換器４０には入力端子８が接続されていると共に、アンテナ群５０が接続されている。アンテナ群５０については、放送受信機１００と同様であるので、その説明を省略する。
【００４８】
受信機内アンテナ切換器４０は、一回路三接点のスイッチ素子で構成されており、フィルタ回路３と第１アンテナ５０ａ又は第２アンテナ５０ｂ又は第３アンテナ５０ｃとを一対多で択一的に接続可能としている。受信機内アンテナ切換器４０は、入力端子８からチューナ回路４までの構成回路を搭載した回路基板（図示せず）上に、これら構成回路と同様に、同一回路基板上に構成することができる。そのため、放送受信機１００のようなアンテナ切換器３０を別体に構成した場合に比較して、全体の回路規模を小さくすることができる。尚、入力端子８からチューナ回路４までの構成回路の働きについては、放送受信機１００の場合と同様であるため、その説明を省略する。
【００４９】
放送受信機２００では、このようにフィルタ回路３と複数のアンテナ即ちアンテナ群５０とを一対多で択一的に接続可能とする受信機内アンテナ切換器４０を放送受信機２００内に設けたので、アンテナ切換器を含む放送受信機全体の回路規模を小さくすることができる。
【００５０】
以上説明したように、本発明の放送受信機は、複数の第２マッチング回路それぞれとチューナ回路との間にスイッチ回路を設けたので、受信していない帯域用のチューナ回路を、受信している帯域用の信号経路から切り離すことができる。そのため、受信に使用している回路への、受信に使用していない回路による影響を防止できる。それと同時に、入力端子とフィルタ回路と第１マッチング回路とを、１つの第１信号経路上に構成することができるので、回路規模を小さくすることができる。
【００５１】
本発明は上記の第１実施形態の記載に限定されず、その効果が発揮される態様で適宜変更して実施することができる。例えば、本発明の放送受信機には、図２に示される構成要素と等価な構成要素が含まれることがあっても良い。
【符号の説明】
【００５２】
１        第１マッチング回路
１ａ      第１キャパシタ
１ｂ      インダクタ
２        第２マッチング回路
２ａ      第２キャパシタ
２ｂ      第２キャパシタ
２ｃ      第２キャパシタ
３        フィルタ回路
３ａ      ローパスフィルタ回路
４        チューナ回路
４ａ      第１チューナ回路
４ｂ      第２チューナ回路
４ｃ      第３チューナ回路
５        スイッチ回路
５ａ      第１スイッチ回路
５ｂ      第２スイッチ回路
５ｃ      第３スイッチ回路
８        入力端子
１１      第１信号経路
１２      第２信号経路
２０      集積回路
３０      アンテナ切換器
４０      受信機内アンテナ切換器
５０      アンテナ群
５０ａ    第１アンテナ
５０ｂ    第２アンテナ
５０ｃ    第３アンテナ
１００    放送受信機
２００    放送受信機
【図１】
2015032896.tif 000003
【図２】
2015032896.tif 000004
【図３】
2015032896.tif 000005
【図４】
2015032896.tif 000006
【図５】
2015032896.tif 000007